(57)【要約】【課題】使用操作が簡単で、支持枠の拡開状態を維持して容器上に安定して濾紙袋を支持でき、美味しい飲料を抽出できる飲料抽出バッグを提供する。【解決手段】 厚紙等の板材からなる枠体２は、縦方向の第１の一対の折目５と、第２の一対の折目６とを有する。折目５により扁平に折りたたむことができ、また折目５，６により四角錐筒形状に展開できる。枠体２の外側の対向位置に一対の支持片３が設けられる。支持片３の基端辺３ａは、折目５に沿い、折り曲げ自在である。支持片３は、下辺側に容器Ｃに係合する係合凹所３ｂを有する。枠体２の内側に濾紙袋４が挿入され、その外側面が枠体２の内側面に貼着される。枠体２の展開により濾紙袋４の上部の開口４ｂを開いて内部に収容されたコーヒー等の原料粉末Ｇに湯を注いで飲料を抽出する。【選択図】図１
0003201887.tif 000002
【実用新案登録請求の範囲】
【請求項１】
夫々相対向する縦方向の第１の一対の折目と、第２の一対の折目とを有し、第１の一対の折目により扁平に折りたたむことができると共に、第１の折り目と第２の折り目との間に４つの下すぼまりの等脚台形状の枠板部が形成され、第１及び第２の一対の折目により下すぼまりの截頭四角錐筒形状に展開することができる厚紙等の板材からなる枠体と、
前記第２の一対の折目に夫々基端辺を沿わせ、前記枠体の外側面から外側へ延出するように、基端辺に沿って折り曲げ自在に設けられ、下辺側に容器への係合部を備えた各一対の支持片と、
外側面の上部が前記枠体の内側面に貼着され、枠体の展開により上部の開口を開いて内部に収容されたコーヒー等の原料粉末に湯を注ぐことができる濾紙袋と、を具備し、
前記濾紙袋は、前記枠体の展開により、下すぼまりの概略四角錐状に展開する形状であることを特徴とする飲料抽出バッグ。
【請求項２】
前記濾紙袋は、内部に予め原料粉末を収容した状態で封止され、前記枠体から上方へ延出した部位を切り開いて開口を形成可能に構成されることを特徴とする請求項１に記載の飲料抽出バッグ。
【請求項３】
前記濾紙袋の前記枠体から上方へ延出した部位には、上縁部を切除して前記開口を形成するためのミシン目が形成されることを特徴とする請求項２に記載の飲料抽出バッグ。
【請求項４】
請求項２に記載の飲料抽出バッグが扁平に折りたたまれ、包装袋内に収容封止された飲料抽出バッグの包装体。
【考案の詳細な説明】
【技術分野】
【０００１】
本考案は、コーヒー、紅茶等の飲料を抽出するためのバッグに関し、特に不使用時には扁平に折りたたんで保管し、使用時には立体的に展開してカップ等の容器の上縁に保持できるようにした飲料抽出バッグに係るものである。
【背景技術】
【０００２】
従来飲料抽出バッグとして、例えば特許文献１に記載されたものが知られている。これは、夫々相対向する縦方向の第１の一対の折目と、第２の一対の折目とを有し、第１の一対の折目により扁平に折りたたむことができると共に、第１及び第２の一対の折目により四角筒に展開することができる厚紙等の板材から成る枠体と、第２の一対の折目に夫々基端辺を沿わせ、枠体の外側面から外側へ延出するように、基端辺に沿って折り曲げ自在に設けられ、下辺側に容器への係合部を備えた各一対の支持片と、外側面が枠体の内側面に貼着され、枠体の展開により上部の開口を開いて内部に収容されたコーヒー等の原料粉末に湯を注ぐことができる濾紙袋と、を具備した飲料抽出バッグである。
【先行技術文献】
【特許文献】
【０００３】
【特許文献１】特開平９−２８６４５７号公報
【考案の概要】
【考案が解決しようとする課題】
【０００４】
上記従来の飲料抽出バッグは、使用時に全体が四角筒状にカップの上に起立するため、安定感に欠け、また濾紙袋が四角筒状に展開する形状であるため、飲料抽出時の湯の流れが停滞しやすく、抽出された飲料に雑味が生じやすい難点がある。
従って、本考案は、使用時の展開操作が簡単で、支持枠の拡開状態を維持して容器上に安定して濾紙袋を支持することができ、またコンパクトに包装することができると共に、飲料抽出時の湯の流れが円滑で、抽出された飲料に雑味が生じにくい飲料抽出バッグを提供することを目的としている。
【課題を解決するための手段】
【０００５】
以下、添付図面の符号を参照して説明するが、本考案はこれに限定されるものではない。
上記課題を解決するための、本考案の飲料抽出バッグ１は、厚紙等の板材からなる枠体２と、枠体２を容器Ｃへ掛け止めるために枠体２の外側に設けられる支持片３と、枠体２の内側に支持される濾紙袋４とを具備する。枠体２は、夫々相対向する縦方向の第１の一対の折目５と、第２の一対の折目６とを有し、第１の折り目５と第２の折り目６との間に４つの下すぼまりの等脚台形状の枠板部７が形成される。枠体２は、第１の一対の折目５により扁平に折りたたむことができると共に、第１及び第２の一対の折目５，６により、下すぼまりの截頭四角錐筒形状に展開することができる。支持片３は、枠体２の第２の一対の折目６に夫々基端辺３ａを沿わせるように一対設けられる。支持片３は、基端辺３ａ（折り目６）に沿って折り曲げることにより、枠体２の外側面から外側へ延出させることができ、下辺側に容器への係合部３ｂを備える。濾紙袋４は、枠体２の内側に挿入され、外側面の上部が枠体２の内側面に貼着され、枠体２の展開により、上部の開口４ｂを開いて、内部に収容されたコーヒー等の原料粉末Ｇに湯を注ぐことができる。濾紙袋４は、枠体２の展開により、下すぼまりの概略四角錐状に展開する形状である。
【考案の効果】
【０００６】
本考案の飲料抽出バッグは、使用時の展開操作が簡単で、支持枠の拡開状態を維持して容器上に安定して濾紙袋を支持することができ、またコンパクトに包装することができると共に、飲料抽出時の湯の流れが円滑で、抽出された飲料に雑味が生じにくい飲料抽出バッグを提供することができる。
【図面の簡単な説明】
【０００７】
【図１】本考案に係る飲料抽出バッグの使用状態の斜視図である。
【図２】図１の飲料抽出バッグの使用状態の平面図である。
【図３】図１の飲料抽出バッグの折りたたみ状態の正面図である。
【図４】図１の飲料抽出バッグの折りたたみ状態の平面図である。
【図５】図１の飲料抽出バッグの枠体を構成する部材の平面図である。
【図６】図１の飲料抽出バッグの包装状態の一部を切り欠いた正面図である。
【考案を実施するための形態】
【０００８】
図面を参照して本考案の実施の形態を説明する。
図において飲料抽出バッグ１は、厚紙等の耐水性のある板材からなる枠体と、枠体を容器へ掛け止めるために枠体２の外側に設けられる支持片３と、枠体２の内側に支持される濾紙袋４とを具備する。
【０００９】
枠体２は、夫々相対向する縦方向の第１の一対の折目５と、第２の一対の折目６とを有し、第１の折り目５と第２の折り目６との間に４つの下すぼまりの等脚台形状の枠板部７を有する。枠体２は、第１の一対の折目５により扁平に折りたたむ（図３，４）ことができると共に、第１及び第２の一対の折目５，６により、下すぼまりの截頭四角錐筒形状に展開する（図１，２）ことができる。枠体２は、４つの下すぼまりの等脚台形状の枠板部７が互いに側辺を折り目５，６で屈曲自在に接合させて連続する構成である。したがって、枠体２は、扁平に折りたたまれた状態（図３，４）において、上辺２ａと下辺２ｂがＶ字状に上下に曲折した形状となるが、展開されて容器Ｃ上に乗せられると、上辺２ａと下辺２ｂは、ほぼ水平に凹凸なく連続する形状になる。
【００１０】
支持片３は、枠体２の第２の一対の折目６に夫々基端辺３ａを沿わせるように一対設けられる。支持片３は、基端辺３ａ（折り目６）に沿って折り曲げることにより、枠体２の外側面から外側へ延出させることができ、下辺側に容器Ｃへの係合部３ｂを備える。
【００１１】
濾紙袋４は、枠体２の内側に挿入され、外側面の上部が枠体２の内側面に貼着され、枠体２の展開により、図１に示すように、上部の開口４ｂを開いて、内部に収容されたコーヒー等の原料粉末Ｇに湯を注ぐことができる。濾紙袋４は、枠体２の展開により、下すぼまりの概略四角錐形状に展開する形状である。濾紙袋４の上縁部は、枠体２の上辺２ａより上へ延出しており、濾紙袋４の上辺４ａは、枠体２の上辺２ａと平行になる形状である。
【００１２】
所望により、濾紙袋４は、内部に原料粉末Ｇを収容して封止した状態で枠体２の内側に保持される（図３，４）。この場合、濾紙袋４は、上縁部を容易に切除して開口４ｂを形成することができるように、上縁に沿ったミシン目４ｃを備えている。原料粉末Ｇの風味を損なわないように、飲料抽出バッグ１全体を図６に示すように包装袋１１内に納めて真空封止し、あるいは適宜のガスを封入する。封止された濾紙袋４の上縁部に開口４ｂを形成しやすくするための構造は、ミシン目４ｃに限らない。例えば上縁部を容易に開封できるように溶着するような構造でもよい。また、開口４ｂを形成するために鋏を使用するようにしてもよい。もちろん原料粉末Ｇを別途用意し、抽出に先立って濾紙袋４に投入するようにしてもよい。
【００１３】
枠体２、支持片３の具体的組立て構造は、組立て作業の容易性、材料の節減等を考慮して各種考えられる。両者を連続する厚紙で構成してもよいし、別個の厚紙で構成してもよい。図５に示す実施例では、枠体２を構成する２つの枠板部７と、その両側の支持片３を連続する１枚の厚紙から切り抜いてなる構成部材２１を２枚形成する。これを重ね合わせ、支持片３の基端辺３ａとなる折り目６部分で２枚を接着することにより、枠体２と支持片３とを形成することができる。支持片３の基端辺３ａより上方の縁部が切り離されていても、内側面に濾紙袋４が貼着されることにより、連結されるので、十分な強度を持つ。
【００１４】
飲料抽出バッグ１を用いてコーヒー等の飲料を抽出する場合には、例えば図６に示す包装袋１１を開いて飲料抽出バッグ１を取り出し、ミシン目４ｃに沿って濾紙袋４の上縁部を切取り、開口４ｂを形成する。次いで、扁平に折りたたまれている両側の支持片３を左右の指で摘んで引き離せば、図１，２に示すように、枠体２がアコーディオン式に四角錐筒形状に展開し、同時に濾紙袋４の開口４ｂが開く。折目５の開き角度又は支持片３の開き角度を調整して係合部３ｂの位置を容器Ｃの上縁に合わせ、これに係合させる。飲料抽出バッグ１は、濾紙袋４の開口４ｂを開いた状態で、容器Ｃ上に確実に保持されるから注湯時に転倒する危険はない。濾紙袋４は四角錐形であるから、注湯時に原料粉末を通過して飲料を抽出した湯が、円滑に容器Ｃへ流れ落ちるため、飲料に雑味が含まれにくく、風味の良好な飲料が抽出される。
【符号の説明】
【００１５】
１      飲料抽出バッグ
２      枠体
２ａ    上辺
２ｂ    下辺
３      支持片
３ａ    基端辺
３ｂ    係合部
４      濾紙袋
４ａ    上辺
４ｂ    開口
４ｃ    ミシン目
５      第１の一対の折目
６      第２の一対の折目
１１    包装袋
２１    枠体構成部材
Ｃ      容器
Ｇ      原料粉末
【図１】
0003201887.tif 000003
【図２】
0003201887.tif 000004
【図３】
0003201887.tif 000005
【図４】
0003201887.tif 000006
【図５】
0003201887.tif 000007
【図６】
0003201887.tif 000008